(57)【要約】      （修正有）【課題】植物が枯れた場合等において、それらを土壌中で自然分解し、可燃ごみとして処分可能とする植物栽培システムを提供する。【解決手段】植物栽培システム１０は、一面に開口を有する段ボール製の栽培箱と、栽培箱内に設けられた樹脂性の育成用ポット６０と、樹脂性の育成用ポット内に設けられた有機物を主成分とする土７とを備えたことを特徴とする。【選択図】図５
0003192727.tif 000002
【実用新案登録請求の範囲】
【請求項１】
一面に開口を有する段ボール製の栽培箱と、
上記栽培箱内に設けられた樹脂性の育成用ポットと、
当該樹脂性の育成用ポット内に設けられた有機物を主成分とする土と、
を備えた
ことを特徴とする植物栽培システム。
【請求項２】
上記樹脂製の育成用ポットは、生分解性樹脂製の育成用ポットである
ことを特徴とする請求項１に記載の植物栽培システム。
【請求項３】
上記段ボール製の栽培箱の一面に設けられた開口の面積は、当該開口を有する上記一面の面積よりも狭い
ことを特徴とする請求項１または２に記載の植物栽培システム。
【請求項４】
上記栽培箱は、上面に開口を有する箱本体と、当該箱本体の上面に嵌合する蓋と、
を備え、
上記蓋は、上記箱本体の上面よりも小さい蓋開口部を有する
ことを特徴とする請求項３に記載の植物栽培システム。
【請求項５】
上記栽培箱を構成する段ボールは耐水性、または防水性の段ボールである
ことを特徴とする請求項１から４のいずれかに記載の植物栽培システム。
【請求項６】
上記栽培箱は可燃性素材からなる補強具により補強された
ことを特徴とする請求項１から５のいずれかに記載の植物栽培システム。
【考案の詳細な説明】
【技術分野】
【０００１】
本考案は、植物を栽培するための植物栽培システムに関するものであり、特に、処分が容易な植物栽培システムに関するものである。
【背景技術】
【０００２】
植物を栽培したり、観葉植物等を購入して鑑賞したりすることは、家庭やオフィスで一般的に行われている。
しかしながら、植物が枯れた後に問題となるのは、植木鉢やプランターと土の処理である。
【０００３】
この問題を解決するために、古紙を利用した植木鉢の製造方法が提案されている。この方法によって得られる植木鉢は、紙粘土質によって構成されるため、土壌に埋めることで、植木鉢は自然分解される（例えば、特許文献１）。
【先行技術文献】
【特許文献】
【０００４】
【特許文献１】特開２００９−６０８３７
【考案の概要】
【考案が解決しようとする課題】
【０００５】
しかしながら、集合住宅やオフィスにおいては、庭が無いのが通常であり、土壌に埋めて処理することは不可能である。
集合住宅等においては、土の処理も問題であり、一般ごみとして処理できないので、専門業者に依頼して廃棄する等の複雑な手続きが必要であった。
【０００６】
また、庭やベランダにおいて植物を育てる場合、冬季においては、寒さのため、根腐れをして枯れてしまうこともあった。さらに、植木鉢の下に水受け用の受け皿を設ける必要があるが、この受け皿に溜まった水が腐った状態になり、衛生的な問題も生じていた。
【０００７】
本考案は上記の課題を解決するためになされたものであり、植物が枯れた後に一般ごみとして簡単に廃棄処理な可能な植物栽培システムを提供するものである。
【課題を解決するための手段】
【０００８】
本考案の請求項１に係る植物栽培システムは、一面に開口を有する段ボール製の栽培箱と、上記栽培箱内に設けられた樹脂性の育成用ポットと、当該樹脂性の育成用ポット内に設けられた有機物を主成分とする土とを備えたことを特徴とする。
【０００９】
本考案の請求項２に係る植物栽培システムは、上記樹脂製の育成用ポットが、生分解性樹脂製の育成用ポットであることを特徴とする。
【００１０】
本考案の請求項３に係る植物栽培システムは、上記段ボール製の栽培箱の一面に設けられた開口の面積が、当該開口を有する上記一面の面積よりも狭いことを特徴とする。
【００１１】
本考案の請求項４に係る植物栽培システムは、上記栽培箱が、上面に開口を有する箱本体と、当該箱本体の上面に嵌合する蓋とを備え、上記蓋は、上記箱本体の上面よりも小さい蓋開口部を有することを特徴とする。
【００１２】
本考案の請求項５に係る植物栽培システムは、上記栽培箱を構成する段ボールが耐水性、または防水性の段ボールであることを特徴とする。
【００１３】
本考案の請求項６に係る植物栽培システムは、上記栽培箱が可燃性素材からなる補強具により補強されたことを特徴とする。
【考案の効果】
【００１４】
本考案に係る植物栽培システムは上記のように構成されているので、すべてを一般ごみとして廃棄可能であり、あるいは、土壌中で自然分解することも可能である。そのため、集合住宅を含む一般家庭や、オフィスにおいても、処分が容易に行える。
夜間に公園等への不法投棄を減少させる効果もある。
【００１５】
また、栽培箱も土壌も軽量であるため、持ち運びが容易である。天井に吊るして使用することも容易であるし、水がこぼれる心配も無い。屋内に設置する場合でも、床に傷を付ける等の虞も無い。さらに、培養土を多く使用すると臭いが発生するが、本考案に係る用土はそのような心配は無く、室内でも安心して使用できる。
さらに、通気性が良いため、穴を開けなくとも根腐れの心配が無いので水受けが不要であり、衛生的である。
【００１６】
材質が段ボールであるので、低コストで、一般消費者への販売に適する。
また、保温効果が高く、冬でも根が腐る等の虞が減少するので、屋外やベランダでの栽培にも適している。保水性も高いため、水やりの回数が少なくて済む。特に蓋の開口を小さめにしているので、保温性が一層向上する。
さらに、段ボールは様々な大きさの箱を容易に作成できるため、栽培する植物の大きさや高さに合わせたサイズの箱を得ることができる。
【００１７】
また、段ボールは加工することが容易であるため、植物を安定に立てるための紐等を張るための穴等をその場で設けることができる。あるいは、ツルを巻かせるためのネット等を設置することも、同様に容易である。
【００１８】
ダンボールに防水又は耐水加工を施せば、屋外でも使用できる。
陶器の植木鉢のように割れる心配が無いので、安全である。また、ベランダから落下しても、通行人にけがを負わせるリスクは小さい。
【００１９】
段ボールの表面には様々な印刷を施すことができるので、植物と調和した印刷を施せば、鑑賞時に、植物を引き立たせて見せることも可能である。あるいは、室内で使用する場合には、内装に応じた印刷を施したり、使用者自身が絵やイラストを描くことで、インテリア性を向上させることもできる。
生産者が使用する際には、保温効果を活かして、ハウス内の暖房費を削減できる。
【００２０】
また、樹脂製の育成用ポットを用いれば、強度が向上するので、蓋を不要とすることができる。また、栽培箱の上部開口を狭くしなくとも、育成ポットにより、栽培箱の内部の美観が損なわれることが無い。したがって、蓋を用いない場合には、部品点数が減り、コストの削減が図れる。また、樹脂製であるので、成形法等により量産が可能であると同時に、任意の形状の育成ポットが作製できる。したがって、栽培箱の形状に合わせた育成ポットが得られることで、全体の強度および美観の向上が可能となる。
【００２１】
特に、生分解性樹脂製の育成用ポットを用いれば、植物栽培システム全体を土に還すことも可能である。植物が枯れてしまった際の廃棄がさらに容易に行える。また、植物栽培システムの環境に優しいイメージをさらに高めることもできる。
【図面の簡単な説明】
【００２２】
【図１】本考案に係る植物栽培システムの構成図である。
【図２】本考案に係る植物栽培システムの組立後の断面図である。
【図３】本考案に係る植物栽培システムの箱本体の別の構成図である。
【図４】本考案に係る植物栽培システムの栽培箱の別の構成図である。
【図５】本考案の実施の形態２に係る植物栽培システムの構成図である。
【図６】本考案の実施の形態２に係る植物栽培システムの組立後の断面図である。
【考案を実施するための形態】
【００２３】
実施の形態１．
本考案に係る植物栽培システムの構成およびその使用方法等に関して、以下において、図面を用いて説明する。なお、以下の説明は本考案に関する良好な一例を開示するものであり、本考案が当該実施の形態に限定されるものではない。
【００２４】
本考案に係る植物栽培システム１は、図１および図２に示すように、蓋２と箱本体３とから構成される栽培箱と、箱本体３の底面に設けられた中敷４と、箱本体３内に設けられた筒体５と、この筒体５内に設けられた樹脂シート６と、この樹脂シート内に設けられた土６等を備えている。
【００２５】
蓋２は段ボールからなり、中央付近に蓋開口２１が開けられ、蓋開口部２１の周囲は、必要に応じてアングル材等の補強具２２で補強されている。この補強具２２は、木や繊維質材料といった可燃性素材からなる。
【００２６】
箱本体３は、例えば直方体形状の段ボールであり、その上部に開口である本体開口部３１が設けられている。この本体開口部３１よりも、蓋開口部２１の方が小さめの開口となっている。
箱本体３も必要に応じて、アングル材等の補強具３２で補強される。図１においては、４本のＬ字アングル材が用いられている。この補強具３２も木や繊維質材料といった可燃性素材からなる。
【００２７】
アングル材を用いるか否かは、箱本体３の大きさや用途等に応じて決めれば良い。箱が大きい場合には、補強具３２を用いて箱の強度を高めることが必要である。また、風雨にさらされる庭等で使用する場合にも、補強具３２を用いて箱の強度を高めた方が良い。
【００２８】
蓋２を箱本体３の上部に嵌めこんで、蓋を閉じた状態を図２に示す。
蓋２が簡単に外れないように、箱本体３の上部と蓋２とのクリアランスを小さめにし、しっかりと嵌めこめるようにした方が良い。
なお、庭やベランダ等の屋外で使用する場合には、蓋２および箱本体３を構成する段ボールには撥水あるいは防水等の加工が施されていることが望ましく、これによって、屋外での使用が可能となる耐水あるいは防水強度の高い栽培箱とすることができる。
【００２９】
蓋２および箱本体３を構成する段ボールの表面には、必要に応じて、適切な印刷を施したり、使用者自身がイラストを描いたりすることができる。例えば、土や芝生の絵を描き、栽培する植物が庭に生育しているように見せたり、室内に設置する場合には、インテリアにマッチしたデザインを描いたりすることで、付加価値を高めることができる。
【００３０】
中敷４は、防水あるいは耐水性の段ボールであり、箱本体３の底部に設けている。このようにすることで、水やりの際に最も水が溜まりやすい底部の耐水性を向上させ、且つ最も重量負荷が掛かる底部の強度も向上させることができる。
【００３１】
筒体５は、例えば、長方形の段ボールを筒状に丸め、テープ５１で止めたものである。素材は、必ずしも段ボールでなくても良いが、保温性を考慮すると段ボールが望ましい。また、テープ５１を用いず、糊によって接着しても良い。
【００３２】
樹脂シート６は、例えば、ごみ袋のようなもので良い。できるだけ、強度が高い樹脂シートが望ましく、簡単に破れたり、穴が開かない素材が望ましい。
【００３３】
土７は、腐葉土やピートモスのような有機物を主成分とする可燃性の用土である。本実施の形態においては、腐葉土からなる薄いシートを多重に重ねて直方体状にした用土を用いた。
【００３４】
図３は、箱本体３の別の例であり、４本のＬ字アングル材に加えて、さらに２本のＬ字アングル材である補強具３２０を用いて、より箱の剛性を高めている。
また、蓋２を用いないで、図４に示すような一体の栽培箱としても良い。ただし、補強具や中敷を設けることを考えると、箱本体と蓋を分離させて方が便利である。一方、一体化した栽培箱の方が、強度が高くなり、補強具を不要とできるといったメリットがある。
【００３５】
次に、植物栽培システム１の使用方法について説明する。
まず、箱本体３に中敷４を入れる。次に、土７が入った樹脂シート６を筒体５中に入れ、樹脂シートの上部を筒体５の外周面に巻き付け、これら全体を箱本体３内に設置する。そして、蓋２を被せる。この状態が図２に示す状態である。
そして、土７上に種子を巻き、水を与えてやれば良い。
【００３６】
実施の形態２．
本考案の実施の形態２に係る植物栽培システムの構成およびその使用方法等に関して、以下において、図面を用いて説明する。なお、以下の説明は本考案に関する良好な一例を開示するものであり、本考案が当該実施の形態に限定されるものではない。
また、実施の形態１と同じ構成品については、同じ記号を付している。
【００３７】
本考案に係る植物栽培システム１０は、図５および図６に示すように、蓋２と箱本体３とから構成される栽培箱と、箱本体３内に設けられた育成用ポット６０と、この箱本体３内に設けられた土７等を備えている。
【００３８】
蓋２は栽培箱全体の強度を高めるためや、全体的な美観を向上させるために用いられる。ただし、実施の形態１と異なり、本実施の形態２では必ずしも必要では無い。育成箱内部に後述する高い強度を有する育成用ポット６０を用いるためである。また、育成用ポット６０により、育成箱内が視認できないため、蓋２によって、箱本体３の上部の開口を狭くしなくとも十分な美観が得られることがあるためである。
箱本体３や補強具３２に関しては、実施の形態１で述べた通りである。
【００３９】
育成用ポット６０は、例えば、直方体や円筒形の樹脂製の箱であり、内部は空洞となっている。そして、上部に開口が設けられている。
本実施の形態においては、特に、ポリ乳酸樹脂等の生分解性樹脂を用いている。生分解性樹脂は、微生物によって分解されるため、土壌に埋めれば、一定期間を経て土に還る性質を有している。
【００４０】
育成用ポット６０の中には、土７を入れる。
土７は、実施の形態１で説明したように、有機物を主成分とする可燃性の用土である。
【００４１】
次に、植物栽培システム１０の使用方法について説明する。
まず、土７が入った育成用ポット６０を箱本体３内に設置する。そして、蓋２を被せる。この状態が図２に示す状態である。
そして、土７上に種子を巻き、水を与えてやれば良い。
【００４２】
以下において、本考案に係る植物栽培システムの特長についてまとめる。
第１に、植物栽培システムの全て構成品が可燃物であるので、すべてを一般ごみとして廃棄可能であり、あるいは、土壌中で自然分解させることも可能である。そのため、集合住宅を含む一般家庭や、オフィスにおいても、処分が容易に行える。植物を育てたり、鑑賞することは、心が休まりストレスを解消する効果があるが、植物が枯れた際のプランターや植木鉢、あるいは用土の処分が問題となっていたが、本考案に係る植物栽培システムを用いることで、簡単に処分が行えるようになる。これによって、夜間に公園等への不法投棄を減少させる効果も生じる。
【００４３】
第２に、栽培箱も用土も軽量であるため、持ち運びが容易である。天井に吊るして使用することも容易であるし、水がこぼれる心配も無い。屋内に設置する場合でも、床に傷を付ける等の虞も無い。さらに、培養土を多く使用すると臭いが発生するが、本考案に係る用土は落ち葉等が主成分なので、そのような心配は無く、室内でも安心して使用できる。
【００４４】
第３に、本考案に係る用土は通常の対に比べて通気性が良いため、底に穴を開けなくとも根腐れの心配が無い。したがって、水受けが不要である。水受けに溜まる水には、特に夏季においては雑菌が繁殖しやすく不衛生であるが、本考案に係る植物栽培システムを用いれば、そのような問題は生じず衛生的である。
【００４５】
第４に、材質が段ボールであるので、低コストで、一般消費者への販売に適する。
また、多層構造の段ボールは空気層を有するため、保温効果が高く、冬でも根が腐る等の虞が減少する。保水性も高いため、水やりの回数が少なくて済む。特に蓋の開口を小さめにしているので、さらに保温性が増し、また、運搬時に土がこぼれにくくなるというメリットもある。
さらに、段ボールは様々な大きさの箱を容易に作成できるため、栽培する植物の大きさや高さに合わせたサイズの栽培箱を得ることができる。
また、筒体を内部に設ければ、さらに保温性が増し、冬季に屋外で植物を育てる際にも、根腐れ等の危険性を減少させることができる。
【００４６】
第５に、段ボールは加工することが容易であるため、植物を安定に立てるための紐等を張るための穴等を、最適な場所にその場で加工することができる。あるいは、ツルを巻かせるためのネット等を設置することも、同様に容易である。
【００４７】
第６に、ダンボールに防水又は耐水加工を施せば、屋外でも使用できる。
また、陶器の植木鉢のように割れる心配が無いので、安全である。また、ベランダから落下しても、通行人にけがを負わせるリスクは小さい。このように、従来の植木鉢等に比べて、使用時の安全性も向上する。
【００４８】
第７に、段ボールの表面には様々な印刷を施すことができるので、植物と調和した印刷を施せば、鑑賞時に、植物を引き立たせて見せることも可能である。あるいは、室内で使用する場合には、内装に応じた印刷を施したり、使用者自身が絵やイラストを描くことで、インテリア性を向上させることもできる。
【００４９】
第８に、生産者が本考案に係る植物栽培システムを使用する際には、段ボールの持つ保温効果を活かして、ハウス内の暖房費を削減できるという経済的高価も生じる。
【００５０】
第９に、樹脂製の育成用ポットを用いれば、強度が向上するので、蓋を不要とすることができる。また、栽培箱の上部開口を狭くしなくとも、育成ポットにより、栽培箱の内部の美観が損なわれることが無い。したがって、蓋を用いない場合には、部品点数が減り、コストの削減が図れる。また、樹脂製であるので、成形法等により量産が可能であると同時に、任意の形状の育成ポットが作製できる。したがって、栽培箱の形状に合わせた育成ポットが得られることで、全体の強度および美観の向上が可能となる。
【００５１】
第１０に、生分解性樹脂製の育成用ポットを用いれば、植物栽培システム全体を土に還すことも可能である。植物が枯れてしまった際の廃棄がさらに容易に行える。また、植物栽培システムの環境に優しいイメージをさらに高めることもできる。
【符号の説明】
【００５２】
１  植物栽培システム
２  蓋
３  箱本体
５  筒体
７  土
２１  蓋開口部
２２  補強材
３１  本体開口部
３２  補強材
６０  育成用ポット
【図１】
0003192727.tif 000003
【図２】
0003192727.tif 000004
【図３】
0003192727.tif 000005
【図４】
0003192727.tif 000006
【図５】
0003192727.tif 000007
【図６】
0003192727.tif 000008